(57)【要約】      （修正有）【課題】様々な種類やサイズのフラットパネルディスプレイに使用可能なフラットパネルディスプレイ用イーゼルスタンドを提供する。【解決手段】縦方向に延びる一対の縦フレーム１１と、一対の縦フレーム１１を水平方向に架け渡す横フレーム２０Ａ，２０Ｂと、開いた状態においては縦フレーム１１を自立可能に直接的または間接的に支持するとともに、閉じた状態においては縦フレーム１１の延び方向と同方向に配される、回動可能な支持脚３０と、を備えるイーゼル型のフラットパネルディスプレイ用イーゼルスタンド１０であって、フラットパネルディスプレイＰの背面に固定されるとともに横フレーム２０Ａ，２０Ｂに対して着脱可能かつスライド可能に取り付けられる取付部材４０を有し、横フレーム２０Ａ，２０Ｂには水平方向に延びる複数の長孔が設けられており、取付部材４０は長孔を貫通するボルトの締結により横フレーム２０Ａ，２０Ｂに対して固定される。【選択図】図４
0003193326.tif 000002
【実用新案登録請求の範囲】
【請求項１】
縦方向に延びる一対の縦フレームと、
前記一対の縦フレームを水平方向に架け渡す横フレームと、
開いた状態においては前記縦フレームを自立可能に直接的または間接的に支持するとともに、閉じた状態においては前記縦フレームの延び方向と同方向に配される、回動可能な支持脚と、を備えるイーゼル型のフラットパネルディスプレイ用イーゼルスタンドであって、
フラットパネルディスプレイの背面に固定されるとともに前記横フレームに対して着脱可能かつスライド可能に取り付けられる取付部材を有し、
前記横フレームには水平方向に延びる複数の長孔が設けられており、
前記取付部材は前記長孔を貫通するボルトの締結により前記横フレームに対して固定されるフラットパネルディスプレイ用イーゼルスタンド。
【請求項２】
前記取付部材は前記横フレームに対して引っ掛け可能な引掛部を有する請求項１に記載のフラットパネルディスプレイ用スタンド。
【請求項３】
前記横フレームは上下方向に並んで複数設けられており、
前記取付部材は、前記複数の横フレームを架け渡すように縦方向に延びて配されるとともに前記引掛部を複数備える請求項２に記載のフラットパネルディスプレイ用スタンド。
【請求項４】
前記取付部材は底壁および当該底壁と一体に連なる一対の側壁からなる断面コ字形状の長尺なチャンネル構造体からなり、
前記底壁は、外面が前記フラットパネルディスプレイへの取付面とされるとともに、内面に前記ボルトまたは前記ボルトと締結する被締結部のどちらか一方が一体的に設けられており、
前記一対の各側壁から前記引掛部が一体的に延出されている、請求項２または請求項３に記載のフラットパネルディスプレイ用イーゼルスタンド。
【請求項５】
前記横フレームは前記縦フレームより後方に配されており、前記取付部材の前記取付面は前記縦フレームの前面と同一平面上に配される請求項４に記載のフラットパネルディスプレイ用スタンド。
【請求項６】
前記横フレームは扁平なパイプ材からなる請求項１ないし請求項５のいずれか一項に記載のフラットパネルディスプレイ用スタンド。
【請求項７】
前記支持脚の背面に移動用のキャスターが設けられている請求項１ないし請求項６のいずれか一項に記載のフラットパネルディスプレイ用スタンド。
【考案の詳細な説明】
【技術分野】
【０００１】
本明細書に開示される技術は、フラットパネルディスプレイ用イーゼルスタンドに関する。
【背景技術】
【０００２】
近年、プラズマディスプレイや液晶ディスプレイ等のフラットパネルディスプレイの大型化および薄型化がますます進んでおり、例えば、店舗や公共施設等で広告・宣伝用として使用されているポスターパネルの代替品として、需要が増加している。
【０００３】
このようなフラットパネルディスプレイは、その薄型かつ軽量という特徴を生かして、例えば、壁掛けや吊り下げ、あるいは、スタンド方式等で設置されるが、その中でも床面設置用のスタンドを用いることにより、所望の場所に容易に設置することができる。このようなスタンドの一種として、例えば、折り畳み可能なイーゼルスタンドがある。
【０００４】
フラットパネルディスプレイには、その背面に取り付け用の孔が設けられており、この取り付け用孔を、スタンド側に設けた固定用孔と重ね合わせて例えばボルトおよびナットを締結することにより、スタンドに対して固定される。
【先行技術文献】
【特許文献】
【０００５】
【特許文献１】特開２００６−１２２３９８号公報
【考案の概要】
【考案が解決しようとする課題】
【０００６】
ところで、フラットパネルディスプレイは様々なサイズや種類のものが販売されており、フラットパネルディスプレイを設置するスタンドも、個々の機種に個別に対応するものではなく、様々なサイズおよび種類に対応可能な、汎用で安価なものが望まれている。
【０００７】
また、フラットパネルディスプレイは、もともとテレビから開発されたという経緯から、横向きで設置されることが一般的であったが、近年、ポスターパネルの代替品として使用されるようになってからは、縦向きでも使用されるようになった。このため、フラットパネルディスプレイを設置するスタンドも、横向きでも縦向きでも対応可能であることが求められている。
【課題を解決するための手段】
【０００８】
本明細書に開示される技術は、縦方向に延びる一対の縦フレームと、前記一対の縦フレームを水平方向に架け渡す横フレームと、開いた状態においては前記縦フレームを自立可能に直接的または間接的に支持するとともに、閉じた状態においては前記縦フレームの延び方向と同方向に配される、回動可能な支持脚と、を備えるイーゼル型のフラットパネルディスプレイ用イーゼルスタンドであって、フラットパネルディスプレイの背面に固定されるとともに前記横フレームに対して着脱可能かつスライド可能に取り付けられる取付部材を有し、前記横フレームには水平方向に延びる複数の長孔が設けられており、前記取付部材は前記長孔を貫通するボルトの締結により前記横フレームに対して固定されることを特徴とする。
【０００９】
上記構成のフラットパネルディスプレイ用イーゼルスタンドによれば、フラットパネルディスプレイに取付部材を取り付け、取付部材を横フレームに装着するとともにボルト締結により固定する構成であるから、様々なサイズや種類のフラットパネルディスプレイに対応可能である。
【００１０】
しかも、フラットパネルディスプレイ側の取付孔が左右対称に配されてない場合においても、取付部材は横フレームに対してスライド可能であるから、フラットパネルディスプレイを一対の縦フレームに対して左右対称となる位置に簡単に移動させ、設置することができる。
【００１１】
また、取付部材を横フレームに対してボルト締結にするにあたり、横フレームには、水平方向に延びる複数の長孔が設けられている。これらの長孔を、サイズの異なるフラットパネルディスプレイの取付孔間の規格の距離に対応可能に設定しておくことにより、横フレームに対する取付部材のおおよその位置決め作業が容易になるとともに、ボルト締結の際、水平方向の位置を微調節可能であり、組み付け誤差等を吸収させることができる。
【００１２】
また、このようなイーゼル型のスタンドは、簡単に開いたり閉じたりすることが可能であるから、使用後、例えば店舗の閉店時等には、フラットパネルディスプレイをスタンドに取り付けたまま閉じた状態とし、店舗内に移動させ、収納することができる。このように閉じた状態では場所を取ることもないので、狭いスペースでも収納することができる。
【００１３】
フラットパネルディスプレイ用イーゼルスタンドは、下記の構成を有することが好ましい。
【００１４】
取付部材に、横フレームに対して引っ掛け可能な引掛部を設ける構成としてもよい。このような構成とした場合には、フラットパネルディスプレイ（取付部材）は横フレームに対して縦方向の位置決めがなされるので、取付部材を横フレームに対して所望の位置にスライドさせたり、固定する作業が、容易になる。
【００１５】
横フレームを上下方向に並んで複数設け、取付部材を複数の横フレームを架け渡すように縦方向に配するとともに、引掛部を各横フレームに引っ掛け可能に複数設ける構成としてもよい。このような構成とすると、フラットパネルディスプレイをより安定した状態でフラットパネルディスプレイ用イーゼルスタンドに固定することができる。
【００１６】
取付部材を、底壁およびこの底壁と一体に連なる一対の側壁からなる断面コ字形状の長尺なチャンネル構造体から構成し、底壁の外面をフラットパネルディスプレイへの取付面とし、底壁の内面にボルトまたはこのボルトと締結する被締結部のどちらか一方を一体的に設け、一対の各側壁から引掛部を一体的に延出する構成としてもよい。
【００１７】
また、横フレームを縦フレームより後方に配し、取付部材の取付面を縦フレームの前面と同一平面上に配する構成とすると、フラットパネルディスプレイが取付部材のみならず、縦フレームの前面によっても支持されることとなるので、より安定した状態で設置することができる。
【００１８】
また、横フレームを扁平なパイプ材により構成してもよい。横フレームには長孔が設けられるが、取付部材と接する部分に大きな力がかかることから、強度を確保することが必要である。また同時に、軽量であることが好ましい。横フレームを扁平なパイプ材により構成することにより、これらの条件を満たすことができる。
【００１９】
さらに、支持脚の背面に移動用のキャスターを設けることにより、フラットパネルディスプレイ用イーゼルスタンドが閉じた状態とされた際に、簡単に移動させることができる。
【考案の効果】
【００２０】
本明細書に開示された技術によれば、様々なサイズや種類のフラットパネルディスプレイに対応可能なフラットパネルディスプレイ用イーゼルスタンドを提供することができる。
【図面の簡単な説明】
【００２１】
【図１】本実施形態のイーゼルスタンドの斜視図
【図２】イーゼルスタンドにフラットパネルディスプレイを取り付けた状態の斜視図
【図３】イーゼルスタンドにフラットパネルディスプレイを取り付けた状態の正面図
【図４】イーゼルスタンドにフラットパネルディスプレイを取り付ける過程の背面側の斜視図
【図５】イーゼルスタンドにフラットパネルディスプレイを取り付けた状態の背面側の斜視図
【図６】取付部材の側面図
【図７】取付部材の正面図
【図８】取付部材の平面図
【図９】取付部材をフラットパネルディスプレイに取り付ける過程の斜視図
【図１０】取り付け部分の要部拡大断面図
【図１１】イーゼルスタンドを開いた状態の側面図
【図１２】イーゼルスタンドを閉じた状態の側面図
【図１３】イーゼルスタンドを移動する状態の斜視図
【図１４】イーゼルスタンドに取付孔が偏って形成されたフラットパネルディスプレイを取り付けた状態の正面図
【図１５】参考例のイーゼルスタンドにフラットパネルディスプレイを取り付ける過程の背面側の斜視図
【考案を実施するための形態】
【００２２】
一実施形態を図１ないし図１４によって説明する。図１は本実施形態のイーゼルスタンド１０（フラットパネルディスプレイ用イーゼルスタンドの一例）を開いた状態の正面側の斜視図であって、以下、図１における上側を上方、下側を下方、左側を左、右側を右、左手前を前方、右奥を後方として説明する。
【００２３】
イーゼルスタンド１０は、図１に示すように、上下方向に平行に延びるとともに上端側がやや後方に傾いて配置された左右一対の縦フレーム１１と、一対の縦フレーム１１の上端付近を水平方向に架け渡す第１横フレーム２０Ａと、第１横フレーム２０Ａの下方において第１横フレーム２０Ａと距離Ｌ１を隔てて平行に配されて一対の縦フレーム１１を架け渡す第２横フレーム２０Ｂと、一対の縦フレーム１１を支持する一対の支持脚３０と、を備えている。
【００２４】
これらの構成部材は、細長く扁平な金属製のパイプ材により構成されており、このうち一対の縦フレーム１１、第１横フレーム２０Ａ、および、第２横フレーム２０Ｂは、それらの幅広の平坦面が同方向（略前後方向）を向くように配されている。また、第１横フレーム２０Ａおよび第２横フレーム２０Ｂの両端部は、一対の縦フレーム１１の背面側に膨出して設けられた袋状の被差込部１２内に差し込まれることにより、一対の縦フレーム１１に対して固定されている（図４参照）。これにより、第１横フレーム２０Ａおよび第２横フレーム２０Ｂは、一対の縦フレーム１１よりやや後方側に配されている。
【００２５】
第１横フレーム２０Ａおよび第２横フレーム２０Ｂには、複数の長孔２１が、左右方向に並んで、かつ、左右対称に、貫通して設けられている。本実施形態において長孔２１は、左右方向の中央付近をはさんで左右３つずつ、合計各６つずつ、後述する所定の間隔で設けられている。なお、第１横フレーム２０Ａの長孔２１と第２横フレーム２０Ｂの長孔２１とは、上下方向における同位置に配置されている。
【００２６】
さらに、縦フレーム１１のうち、第１横フレーム２０Ａの上方および第２横フレーム２０Ｂの下方に、それぞれ貫通孔１３が穿設されている。
【００２７】
一対の縦フレーム１１は、一対の支持脚３０に支持されることにより、自立可能とされている。一対の支持脚３０は、図４に示すように、縦フレーム１１のうち第２横フレーム２０Ｂとの交差部分（下側の被差込部１２）よりやや高い位置に、コ字型のブラケット２５を介して、所定の角度内で上下方向に回動可能に取付けられている。これにより一対の支持脚３０は、イーゼルスタンド１０の使用時には、縦フレーム１１から後方の斜め下方に向けて延びて縦フレーム１１を背面側から支持する（図１１参照）とともに、不使用時には、縦フレーム１１と重ねられて閉じた状態とされる（図１２参照）。
【００２８】
なおコ字型のブラケット２５は、被差込部１２より後方側に突出しており、イーゼルスタンド１０が閉じた状態とされた際に、一対の支持脚３０と被差込部１２とが干渉しないように設定されている（図１２参照）。
【００２９】
また、一対の支持脚３０の前面には、縦フレーム１１と支持脚３０とが開いた状態において両者間の開き角度を保持するためのループ状の第１連結部材２６の一端側が、上下方向に回動可能に取り付けられている。この第１連結部材２６の他端側は、縦フレーム１１の背面に設けられた係止部１４と係止可能とされている。なおこれら第１連結部材２６および係止部１４は、縦フレーム１１における高さ方向の中央よりやや低い位置に設けられている。
【００３０】
また一対の縦フレーム１１の下端寄り、一対の支持脚３０の上端寄り、および下端寄りには、一対の縦フレーム１１あるいは一対の支持脚３０を所定間隔に保持するための第２連結部材１５、第３連結部材３１および第４連結部材３２が、それぞれ水平方向に架け渡されている。これら第２連結部材１５、第３連結部材３１、第４連結部材３２はいずれも細長く扁平なパイプ材からなり、それらの幅広の平坦面が縦フレーム１１あるいは支持脚３０の幅広の平坦面に沿う方向に配されている。
【００３１】
第２連結部材１５の両端部は、一対の縦フレーム１１の前面に設けられた被差込部１６内に差し込まれることにより、一対の縦フレーム１１に対して固定されている（図１参照）。また、第３連結部材３１および第４連結部材３２の両端部は、一対の支持脚３０の背面に設けられた被差込部３３内に差し込まれることにより、一対の支持脚３０に対して固定されている（図４参照）。これにより、イーゼルスタンド１０が閉じた状態とされて一対の縦フレーム１１の背面および一対の支持脚３０の前面が重ね合わされた際に、第２連結部材１５、第３連結部材３１、第４連結部材３２が支持脚３０あるいは縦フレーム１１と干渉しないようになっている（図１２参照）。
【００３２】
また、図４に示すように、一対の縦フレーム１１の背面のうち、第１横フレーム２０Ａとの交差部分および第２横フレーム２０Ｂとの交差部分の間には、一対のハンドル１７が設けられている。さらに、一対の支持脚３０の背面の下端付近には、一対のキャスター３４が設けられている。
【００３３】
本実施形態のイーゼルスタンド１０は、一対の取付部材４０を備えている。取付部材４０は、図４および図５に示すように、縦方向に延びて配されて、第１横フレーム２０Ａおよび第２横フレーム２０Ｂを架け渡すように取り付けられるものである。
【００３４】
取付部材４０は、図６ないし図８に示すように、底壁４１およびこれと一体に連なる一対の側壁４２からなる断面コ字形状の長尺なチャンネル構造体からなる。底壁４１には、長手方向に延びる中心線に沿って複数（本実施形態では７つ）の取付孔４３が所定の間隔で設けられている。また、底壁４１の長手方向に延びる中心線の両端部寄りには、側壁４２の立ち上がり方向（内面側）に延びて後述するボルト５０と締結可能な一対の円筒状の受け部４４（被締結部の一例）が突設されている。
【００３５】
上記複数の取付孔４３は、取付部材４０をフラットパネルディスプレイＰに固定するためのものであり、フラットパネルディスプレイＰの背面に所定の距離を隔てて予め設けられている取付孔Ｐ１に重ね合わせることができるように、それらの間隔が設定されている。
【００３６】
より詳細には、フラットパネルディスプレイＰの背面には、４つの取付孔Ｐ１が四角形を描くように配されており、これらの４つの取付孔Ｐ１間の距離は、メーカーに関わらず、各サイズによって１００ｍｍの倍数に規格化されている。従って、取付部材４０の隣り合う取付孔４３の間隔を１００ｍｍに設定しておくことにより、これら取付孔４３の組み合わせによって、取付部材４０をどのサイズのフラットパネルディスプレイＰに対しても取り付けることが可能となる。
【００３７】
上述した取付部材４０の一対の側壁４２の立ち上がり高さＨ１（外径、図６参照）は、一対の縦フレーム１１の前面から第１横フレーム２０Ａおよび第２横フレーム２０Ｂの前面までの距離Ｌ２（図１０参照）、すなわち、縦フレーム１１の厚みおよび被差込部１２の壁厚の和と同等に設定されている（Ｈ１＝Ｌ２）。また、受け部４４の底壁４１からの立ち上がり高さｈ２は、側壁４２の底壁４１からの立ち上がり高さｈ１（内径）より低く設定されている（ｈ１＞ｈ２、図８参照）。
【００３８】
一対の側壁４２からは、引掛部４５，４６が一体的に延出形成されている。引掛部４５，４６は、図６の上下方向における二箇所に一対ずつ設けられている。図中上側の第１引掛部４５は、側壁４２の一端側（図６の上端）から側壁４２の立ち上がり方向（図６の右側）に向けて延出された第１延出部４５Ａと、第１延出部４５Ａの先端から屈曲されて側壁４２の他端側（図６の下方）に向けて延びる第１保持部４５Ｂとを備えており、その内側の径（側壁４２と第１保持部４５Ｂとの間の長さ）が第１横フレーム２０Ａの外径より僅かに大きくなるように設定されている。
【００３９】
また、図中下側の第２引掛部４６は、第１引掛部４５と所定の距離Ｌ３を隔てて設けられており、側壁４２の立ち上がり方向に向けて延出された第２延出部４６Ａと、第２延出部４６Ａの先端から屈曲されて上記第１保持部４５Ｂの延び方向と同方向（図６の下方）に向けて延びるた第２保持部４６Ｂとを備えてなる。第２引掛部４６の内側の径（側壁４２と第２保持部４６Ｂとの間の長さ）は、第２横フレーム２０Ｂの外径より僅かに大きくなるように設定されている。
【００４０】
なお、第１引掛部４５と第２引掛部４６との間の距離Ｌ３は、具体的には、図６における第１延出部４５Ａの下端と第２延出部４６Ａの下端との間の距離のことを指し、この距離Ｌ３は、上述した第１横フレーム２０Ａと第２横フレーム２０Ｂとの間の設置間距離Ｌ１（図３参照）と同等の距離に設定されている（Ｌ１＝Ｌ３）。
【００４１】
さらに、上述した一対の受け部４４間の距離Ｌ４も、第１横フレーム２０Ａと第２横フレーム２０Ｂとの間の設置間距離Ｌ１と同等に設定されている（Ｌ１＝Ｌ４）。
【００４２】
また、第２延出部４６Ａの側壁４２からの延出幅Ｗ２は、第１延出部４５Ａの側壁４２からの延出幅Ｗ１よりも広く設定されており（Ｗ２＞Ｗ１）、この幅広の第２延出部４６Ａには、貫通孔４７が２つずつ形成されている。これらの貫通孔４７は、取扱説明書やメモ等を引っ掛けておくことができる。
【００４３】
本実施形態のイーゼルスタンド１０は以上のような構成であり、次に、使用方法について説明する。本実施形態では、フラットパネルディスプレイＰをイーゼルスタンド１０に対して縦向きで固定する例を示す。
【００４４】
フラットパネルディスプレイＰをイーゼルスタンド１０に取り付ける際には、図９に示すように、まず、フラットパネルディスプレイＰの背面の４つの取付孔Ｐ１に一対の取付部材４０の取付孔４３を重ね合わせ、ボルト５０を締結することにより、フラットパネルディスプレイＰに対して一対の取付部材４０を固定する。一対の取付部材４０は互いに平行に配される。
【００４５】
この時、上述したように、フラットパネルディスプレイＰの取付孔Ｐ１間の距離は、メーカーに関わらず、フラットパネルディスプレイＰの各サイズによって規格化（１００ｍｍの倍数）されており、取付部材４０の複数の取付孔４３の間隔は、その規格に対応可能に設定されているから、どのサイズのフラットパネルディスプレイＰであっても取付孔Ｐ１，４３同士をぴったり重ね合わせることができる。
【００４６】
なお、フラットパネルディスプレイＰに一対の取付部材４０が固定された状態において、一対の取付部材４０間の距離も、フラットパネルディスプレイＰの各サイズにより規格化された取付孔Ｐ１間の距離と同等（１００ｍｍの倍数）とされる。
【００４７】
次に、図４に示すように、一対の取付部材４０と一体化されたフラットパネルディスプレイＰをイーゼルスタンド１０の前面側（縦フレーム１１側）から近づけ、第１引掛部４５を第１横フレーム２０Ａに、第２引掛部４６を第２横フレーム２０Ｂに対して上方から引っ掛ける。
【００４８】
この時、第１延出部４５Ａの下端と第２延出部４６Ａの下端との間の距離Ｌ３は、第１横フレーム２０Ａと第２横フレーム２０Ｂとの設置間距離Ｌ１と同等とされている（Ｌ１＝Ｌ３）ので、第１引掛部４５および第２引掛部４６を第１横フレーム２０Ａおよび第２横フレーム２０Ｂに確実に引っ掛けることができる。
【００４９】
またこの時、取付部材４０の側壁４２の高さＨ１（外径）は縦フレーム１１の前面から第１横フレーム２０Ａおよび第２横フレーム２０Ｂの前面までの距離Ｌ２と同等とされている（Ｈ１＝Ｌ２）から、取付部材４０の前面（フラットパネルディスプレイＰの取付面４１Ａ）は縦フレーム１１の前面と同一平面上に配されることとなり、もって、フラットパネルディスプレイＰの背面は、縦フレーム１１の前面にぴったり重ね合わされる（図１０参照）。すなわち、フラットパネルディスプレイＰの背面は、取付部材４０の前面（取付面４１Ａ）と縦フレーム１１の前面の双方に支持され、安定的に保持される。
【００５０】
次に、フラットパネルディスプレイＰの縦方向に延びる中心線が、イーゼルスタンド１０の一対の縦フレーム１１の中央に配されるように、左右方向の位置を微調整する。具体的には、取付部材４０を横フレーム２０Ａ，２０Ｂに対して左右方向にスライドさせる。
【００５１】
この時、一対の取付部材４０間の距離は、どのサイズのフラットパネルディスプレイＰにおいても、上述したように、１００ｍｍの倍数とされている。よって第１横フレーム２０Ａおよび第２横フレーム２０Ｂに設けられる複数の各長孔２１の間隔を予め１００ｍｍに設定しておくことにより、取付部材４０の受け部４４と長孔２１とを重ねて配置することができる。
【００５２】
このように、受け部４４と長孔２１とが重ねて配されたら、長孔２１内に背面側からボルト５０を貫通させ、長孔２１内に露出している受け部４４と締結させる（図３および図１０参照）。これにより、取付部材４０が第１横フレーム２０Ａおよび第２横フレーム２０Ｂに対して固定される（図１０参照）。
【００５３】
この時、フラットパネルディスプレイＰと取付部材４０、あるいは、取付部材４０と第１横フレーム２０Ａおよび第２横フレーム２０Ｂとの間に左右方向の組み付け誤差が生じた場合でも、その誤差は長孔２１により吸収されるから、フラットパネルディスプレイＰを一対の縦フレーム１１に対して所望の位置となるように取り付けることができる。
【００５４】
ところで、上述したように、フラットパネルディスプレイＰの背面に設けられる４つの取付孔Ｐ１間の距離は、各サイズによって規格化されているが、一方で、取付孔Ｐ１の形成位置に関しては、必ずしも、背面の中心を基準に配されている訳ではない。すなわち、図１４に示すように、４つの取付孔Ｐ２が、長方形状のフラットパネルディスプレイＰの短辺方向の片側（図１４における右側）に偏った位置に配されている場合がある。これは、フラットパネルディスプレイＰがもともとテレビの技術開発により開発された経緯から、横向きで使用されることが前提とされ、縦向きに使用することを想定していなかったためである。
【００５５】
そして、このように取付孔Ｐ２が偏った位置に配されたフラットパネルディスプレイＰを一般的なイーゼルスタンドに取り付ける場合には、フラットパネルディスプレイＰが、イーゼルスタンドに対して左右対称となる位置に取り付けられないという問題がある。
【００５６】
本実施形態のイーゼルスタンド１０は、このような問題に対処可能な構成とされている。すなわち、一対の取付部材４０は、第１横フレーム２０Ａおよび第２横フレーム２０Ｂに対して左右方向にスライド可能とされているから、図１４に示すように、フラットパネルディスプレイＰを一対の縦フレーム１１に対して左右対称となる位置に移動させ、その後、取付部材４０を第１横フレーム２０Ａおよび第２横フレーム２０Ｂに対して固定すればよい。
【００５７】
この時、第１横フレーム２０Ａおよび第２横フレーム２０Ｂの複数の長孔２１間の距離は、予めフラットパネルディスプレイＰの各サイズの規格の距離に対応可能に設定されているから、フラットパネルディスプレイＰを一対の縦フレーム１１に対して所望の位置となるように移動させ、長孔２１に誤差を吸収させつつ、取り付けることができる。
【００５８】
このように、本実施形態のイーゼルスタンド１０は、フラットパネルディスプレイＰに取付部材４０を取り付け、取付部材４０を横フレーム２０Ａ，２０Ｂに引っ掛けるとともにボルト締結により固定する構成であるから、様々なサイズや種類のフラットパネルディスプレイＰに対応可能である。
【００５９】
また、フラットパネルディスプレイＰを縦向きに使用する場合、フラットパネルディスプレイＰの背面の取付孔Ｐ１が左右対称に配されてない場合においても、取付部材４０は横フレーム２０Ａ，２０Ｂに対してスライド可能であるから、フラットパネルディスプレイＰを一対の縦フレーム１１に対して左右対称となる位置に移動させ、設置することができる。
【００６０】
また、取付部材４０には引掛部４５，４６が設けられており、フラットパネルディスプレイＰ（取付部材４０）は横フレーム２０Ａ，２０Ｂに対して少なくとも縦方向の位置決めがなされた状態となるので、取付部材４０を横フレーム２０Ａ，２０Ｂに対して所望の位置にスライドさせたり、ボルト締結する作業が、容易である。
【００６１】
また、取付部材４０を横フレーム２０Ａ，２０Ｂに対してボルト締結にするにあたり、横フレーム２０Ａ，２０Ｂに設ける長孔２１を、サイズの異なるフラットパネルディスプレイＰの取付孔Ｐ１間の規格の距離に対応可能に設定しておくことにより、横フレーム２０Ａ，２０Ｂに対する取付部材４０のおおよその位置決め作業が容易になるとともに、ボルト締結の際、水平方向の位置を微調節可能であり、組み付け誤差等を吸収させることができる。
【００６２】
また、横フレーム２０Ａ，２０Ｂを縦フレーム１１より後方に配し、取付部材４０の取付面４１Ａが縦フレーム１１の前面と同一平面上に配されるように設定されているので、フラットパネルディスプレイＰが取付部材４０の取付面４１Ａのみならず、縦フレーム１１の前面によっても支持されることとなり、より安定した状態で設置される。
【００６３】
また、主要な構成部材（一対の縦フレーム１１、横フレーム２０Ａ，２０Ｂ、支持脚３０、および、連結部材１５，３１，３２）は、扁平なパイプ材により構成されているから、軽量でありながら、強度が強いイーゼルスタンド１０とすることができる。
【００６４】
また、イーゼルスタンド１０は簡単に開いたり閉じたりすることが可能であるから、例えば店舗の閉店時等には、フラットパネルディスプレイＰを取り付けたまま、第１連結部材２６を係止部１４から取り外して支持脚３０を縦フレーム１１に重ね合わせて閉じた状態とし（図１２参照）、後方に斜めに倒して、店舗内に移動させればよい。この時、支持脚３０の背面の下端にはキャスター３４が設けられているから、小さい力で簡単に移動させることができる（図１３参照）。また、閉じた状態では場所を取ることもないので、狭いスペースでも収納することができる。
【００６５】
＜他の実施形態＞
本明細書に開示される技術は上記記述及び図面によって説明した実施形態に限定されるものではなく、例えば次のような実施形態も技術的範囲に含まれる。
【００６６】
（１）上記実施形態では、四脚のイーゼルスタンド１０を示したが、支持脚３０が一本の三脚のイーゼルスタンドに適用することもできる。
【００６７】
（２）また、上記実施形態では、支持脚３０が直接的に縦フレーム１１を支持する形態のイーゼルスタンド１０を示したが、例えば、支持脚が横フレームに取り付けられて縦フレームを間接的に支持する形態のイーゼルスタンドに適用することもできる。
【００６８】
（３）取付部材４０の構成は、上記実施形態に限るものではない。例えば、上記実施形態では、取付部材４０が縦方向に延びて配される形態としたが、横方向に延びる形態の取付部材としてもよく、要は、取付部材が横フレームに対してスライド可能な構成であればよい。
【００６９】
（４）また、上記実施形態では、取付部材４０の底壁４１の内面に受け部４４（被締結部）を設ける構成としたが、底壁４１側にねじ山を有するボルトを一体に設け、このボルトにナットを締結することにより、取付部材４０を横フレーム２０Ａ，２０Ｂに固定する構成としてもよい。
【００７０】
（５）さらに、上記実施形態では、取付部材４０に横フレーム２０Ａ，２０Ｂに対して引っ掛け可能な引掛部４５，４６を設ける構成としたが、引掛部４５，４６は必ずしも設けなくてもよい。例えば、引掛部４５，４６の代わりに、取付部材に横フレームを上下方向から挟持する挟持片を設けことにより、横フレームに対してスライド可能とすることもできる。このような場合には、挟持片および横フレームに別体のボルトを上下方向に貫通させ、ナット（被締結部）を締結させることにより、取付部材を横フレーム対して固定させることができる。
【００７１】
（６）取付部材４０や横フレーム２０の数や位置は、上記実施形態に限るものではない。
【００７２】
（７）上記実施形態では、取付部材４０の前面（取付面４１Ａ）と縦フレーム１１の前面の双方でフラットパネルディスプレイＰの背面を支持する構成としたが、縦フレーム１１の前面はフラットパネルディスプレイＰの背面と離れて配される構成としてもよい。
【００７３】
（８）上記実施形態では、各横フレーム２０Ａ，２０Ｂに長孔２１を６つずつ設ける構成としたが、長孔２１の長さや数は上記実施形態に限るものではなく、要は、各サイズのフラットパネルディスプレイに対応可能に設定されていればよい。
【００７４】
（９）上記実施形態では、主要な構成部材（一対の縦フレーム１１、横フレーム２０Ａ，２０Ｂ、支持脚３０、および、連結部材１５，３１，３２）を、扁平なパイプ材により構成したが、例えば細長い板材や角材等、他の構成材を用いでもよい。
【００７５】
（１０）イーゼルスタンド１０に、フラットパネルディスプレイＰを横向きに取り付けてもよい。
【００７６】
（１１）参考例として、本実施形態のイーゼルスタンド１０は、フラットパネルディスプレイＰに対して縦フレーム１１の貫通孔１３にボルトを貫通させて直接取り付けることもできる。
【符号の説明】
【００７７】
１０…イーゼルスタンド（フラットパネルディスプレイ用イーゼルスタンド）
１１…縦フレーム
２０Ａ…第１横フレーム
２０Ｂ…第２横フレーム
２１…長孔
２５…ブラケット
３０…支持脚
３４…キャスター
４０…取付部材
４１…底壁
４１Ａ…取付面
４２…側壁
４３…取付孔
４４…受け部（被締結部）
４５…第１引掛部
４６…第２引掛部
５０…ボルト
Ｐ…フラットパネルディスプレイ
Ｐ１，Ｐ２…取付孔
【図１】
0003193326.tif 000003
【図２】
0003193326.tif 000004
【図３】
0003193326.tif 000005
【図４】
0003193326.tif 000006
【図５】
0003193326.tif 000007
【図６】
0003193326.tif 000008
【図７】
0003193326.tif 000009
【図８】
0003193326.tif 000010
【図９】
0003193326.tif 000011
【図１０】
0003193326.tif 000012
【図１１】
0003193326.tif 000013
【図１２】
0003193326.tif 000014
【図１３】
0003193326.tif 000015
【図１４】
0003193326.tif 000016
【図１５】
0003193326.tif 000017